(57)【要約】【課題】リムーバブルメモリの使用量を抑えるとともに、保存されたデータを容易に得ることが可能なデータ処理装置を提供する。【解決手段】取得されたデータがＦＴＰサーバ２１に格納され、ＵＳＢメモリ２５にそのデータの位置情報が書き込まれる。このため、ＵＳＢメモリ２５の使用容量が抑えられる。また、ＵＳＢメモリ２５に書き込まれた位置情報を参照することで、元のデータを容易に得ることができる。【選択図】図３
2008178066.tif 000002
【特許請求の範囲】
【請求項１】
着脱可能なメモリが接続されるメモリ接続手段と、
記憶手段が接続される接続手段と、
データを取得する取得手段と、
前記取得手段によって取得されたデータを前記記憶手段に格納する格納手段と、
前記格納手段によって格納されたデータの位置情報を前記メモリに書き込む書込手段と、
を備えたデータ処理装置。
【請求項２】
前記取得手段は、画像のデータを取得し、
前記書込手段は、その画像のデータの位置情報と、そのデータに対応するサムネイルデータとを関連付けて前記メモリに書き込む請求項１に記載のデータ処理装置。
【請求項３】
前記メモリは、複数の位置情報と、複数のサムネイルデータとを関連付けて記憶しており、
前記複数のサムネイルデータを表示する表示部と、
前記表示された複数のサムネイルデータ中から所望のサムネイルデータを選択するサムネイル選択手段と、
前記選択されたサムネイルデータと関連付けられた位置情報に従って、前記記憶手段からデータを読み出す読出手段と、
前記読み出されたデータに従って、画像を形成する画像形成手段とを備える請求項２に記載のデータ処理装置。
【請求項４】
被記録媒体上に画像を形成する画像形成手段と、
前記メモリに書き込まれた位置情報に対応するデータを前記記憶手段から取得し、前記画像形成手段にてそのデータに基づく画像形成を実行させる制御手段と、
を備える請求項１または請求項２に記載のデータ処理装置。
【請求項５】
前記取得手段は、原稿を読み取ることで画像のデータを取得する請求項１から請求項４のいずれか一項に記載のデータ処理装置。
【請求項６】
前記書込手段は、前記取得手段によって取得されたデータを前記メモリに格納可能であって、
前記取得手段によって取得されたデータを、前記書込手段により前記メモリに格納するか否か、及び前記格納手段により前記記憶手段に格納するか否かを切り替える切替手段を備える請求項５に記載のデータ処理装置。
【請求項７】
前記切替手段は、前記取得手段によって取得されたデータを、前記メモリの空き容量が規定以上である場合に、前記書込手段により前記メモリに格納し、前記メモリの空き容量が規定未満である場合に、前記格納手段により前記記憶手段に格納するように切り替えを行う請求項６に記載のデータ処理装置。
【請求項８】
前記切替手段は、前記データのファイルサイズを前記メモリの空き容量と比較することで前記切り替えを行う請求項７に記載のデータ処理装置。
【請求項９】
前記取得手段が原稿を読み取る読取条件を設定する条件設定手段を有し、
前記切替手段は、前記設定された読取条件から前記取得手段によって取得されたデータのファイルサイズを予測し、この予測したファイルサイズと前記メモリの空き容量とを比較し、この比較結果に従って前記切り替えを行う請求項６に記載のデータ処理装置。
【請求項１０】
前記データの格納先の選択を入力する選択手段を備え、
前記切替手段は、前記選択手段からの入力に従って前記切り替えを行う請求項６から請求項９のいずれか一項に記載のデータ処理装置。
【請求項１１】
前記取得手段は、前記メモリに記憶されたデータを取得し、前記メモリからそのデータを削除する請求項１に記載のデータ処理装置。
【請求項１２】
前記メモリに記憶されるデータの中から前記取得手段により取得させるデータを指定する指定手段を備える請求項１１に記載のデータ処理装置。
【請求項１３】
前記書込手段は、前記取得手段により取得されたデータが前記格納手段により前記記憶手段に格納された後に、そのデータの位置情報を前記メモリに書き込む請求項１から請求項１２のいずれか一項に記載のデータ処理装置。
【請求項１４】
前記接続手段は、通信回線を介して情報処理装置に接続されており、前記記憶手段は、前記情報処理装置に設けられている請求項１から請求項１３のいずれか一項に記載のデータ処理装置。
【請求項１５】
着脱可能なメモリが接続されるメモリ接続手段と、
記憶手段を有する外部装置に対してデータの送受信を行う送受信手段と、
前記送受信手段にデータの送信を行わせ、前記外部装置の記憶手段にデータを格納する格納手段と、
前記格納手段によって格納されたデータの格納位置情報を前記メモリに書き込む書込手段と、
を備えたデータ処理装置。
【請求項１６】
前記メモリに書き込まれた格納位置情報に従って、前記記憶手段からデータを読み出し前記送受信手段を介してデータを受信する読出手段と、
前記受信したデータに従って、画像を形成する画像形成手段とを備える請求項１５に記載のデータ処理装置。
【請求項１７】
着脱可能なメモリが接続されるメモリ接続手段と、
前記メモリより記憶容量の大きな記憶手段にデータを格納する格納手段と、
前記格納手段によって格納されたデータの格納位置情報を前記メモリに書き込む書込手段と、
を備えたデータ処理装置。
【請求項１８】
前記記憶手段は、前記データ処理装置に内蔵されている請求項１７に記載のデータ処理装置。
【請求項１９】
前記記憶手段は、前記データ処理装置に内蔵された第１の記憶手段と、前記データ処理装置に通信回線を介して接続された外部装置の第２の記憶手段とを含み、
前記格納手段によりデータを格納する格納先を、前記第１の記憶手段および第２の記憶手段の中から選択する格納先選択手段を備える請求項１７に記載のデータ処理装置。
【請求項２０】
前記格納先選択手段は、予め定められた選択条件に従って前記格納先の選択を行い、
前記選択条件は、ユーザに与えられた権限に応じて前記格納先を前記第１の記憶手段に制限する条件を含む請求項１９に記載のデータ処理装置。
【請求項２１】
着脱可能なメモリが接続されるメモリ接続手段と、
複数のデータを取得する取得手段と、
前記取得された複数のデータにそれぞれ対応する複数のサムネイルデータを生成する生成手段と、
前記メモリより記憶容量の大きな記憶手段に前記取得された各データを格納する格納手段と、
前記格納手段によって格納された前記各データの格納位置情報と前記サムネイルデータとを関連付けて前記メモリに書き込む書込手段と、
前記メモリに書き込まれた複数のサムネイルデータを表示する表示部と、
前記表示された複数のサムネイルデータ中から所望のサムネイルデータを選択するサムネイル選択手段と、
前記選択されたサムネイルデータと関連付けられた格納位置情報に従って、前記記憶手段からデータを読み出す読出手段と、
を備えたデータ処理装置。
【請求項２２】
前記生成手段は、前記取得されたデータが画像データである場合にはその画像データから前記サムネイルデータを生成し、前記取得されたデータが画像データでない場合にはアイコン画像から前記サムネイルデータを生成する請求項２１に記載のデータ処理装置。
【発明の詳細な説明】
【技術分野】
【０００１】
本発明は、データ処理装置に関する。
【背景技術】
【０００２】
従来より、スキャナ部によって原稿を読み取ることによって得られた画像データを、装置に接続されたリムーバブルメモリに保存する機能を備えた画像読取装置が知られている（例えば特許文献１参照）。
【特許文献１】特開２００２−２７１８８公報
【発明の開示】
【発明が解決しようとする課題】
【０００３】
こうした画像読取装置では、リムーバブルメモリに空き容量が無くなると、読み取った画像データを保存できなくなってしまうなどの不都合が生じる。その対策としては、例えば、リムーバブルメモリへの画像データの保存を諦め、読み取った画像データをネットワークを介して接続されたサーバコンピュータのハードディスク等に転送することが考えられる。しかしながら、その場合、ユーザが後でリムーバブルメモリの内容を参照しても、そこに画像データが保存されていないために、その画像データがどこに保存されているか分からなくなるおそれがあった。
【０００４】
本発明は上記のような事情に基づいて完成されたものであって、リムーバブルメモリの使用量を抑えるとともに、保存されたデータを容易に得ることが可能なデータ処理装置を提供することを目的とする。
【課題を解決するための手段】
【０００５】
上記の目的を達成するための手段として、請求項１の発明に係るデータ処理装置は、着脱可能なメモリが接続されるメモリ接続手段と、記憶手段が接続される接続手段と、データを取得する取得手段と、前記取得手段によって取得されたデータを前記記憶手段に格納する格納手段と、前記格納手段によって格納されたデータの位置情報を前記メモリに書き込む書込手段と、を備える。
【０００６】
請求項２の発明は、請求項１に記載のものにおいて、前記取得手段は、画像のデータを取得し、前記書込手段は、その画像のデータの位置情報と、そのデータに対応するサムネイルデータとを関連付けて前記メモリに書き込む。
【０００７】
請求項３の発明は、請求項２に記載のものにおいて、前記メモリは、複数の位置情報と、複数のサムネイルデータとを関連付けて記憶しており、前記複数のサムネイルデータを表示する表示部と、前記表示された複数のサムネイルデータ中から所望のサムネイルデータを選択するサムネイル選択手段と、前記選択されたサムネイルデータと関連付けられた位置情報に従って、前記記憶手段からデータを読み出す読出手段と、前記読み出されたデータに従って、画像を形成する画像形成手段とを備える。
【０００８】
請求項４の発明は、請求項１または請求項２に記載のものにおいて、被記録媒体上に画像を形成する画像形成手段と、前記メモリに書き込まれた位置情報に対応するデータを前記記憶手段から取得し、前記画像形成手段にてそのデータに基づく画像形成を実行させる制御手段と、を備える。
【０００９】
請求項５の発明は、請求項１から請求項４のいずれか一項に記載のものにおいて、前記
取得手段は、原稿を読み取ることで画像のデータを取得する。
【００１０】
請求項６の発明は、請求項５に記載のものにおいて、前記書込手段は、前記取得手段によって取得されたデータを前記メモリに格納可能であって、前記取得手段によって取得されたデータを、前記書込手段により前記メモリに格納するか否か、及び前記格納手段により前記記憶手段に格納するか否かを切り替える切替手段を備える。
【００１１】
請求項７の発明は、請求項６に記載のものにおいて、前記切替手段は、前記取得手段によって取得されたデータを、前記メモリの空き容量が規定以上である場合に、前記書込手段により前記メモリに格納し、前記メモリの空き容量が規定未満である場合に、前記格納手段により前記記憶手段に格納するように切り替えを行う。
【００１２】
請求項８の発明は、請求項７に記載のものにおいて、前記切替手段は、前記データのファイルサイズを前記メモリの空き容量と比較することで前記切り替えを行う。
【００１３】
請求項９の発明は、請求項６に記載のものにおいて、前記取得手段が原稿を読み取る読取条件を設定する条件設定手段を有し、前記切替手段は、前記設定された読取条件から前記取得手段によって取得されたデータのファイルサイズを予測し、この予測したファイルサイズと前記メモリの空き容量とを比較し、この比較結果に従って前記切り替えを行う。
【００１４】
請求項１０の発明は、請求項６から請求項９のいずれか一項に記載のものにおいて、前記データの格納先の選択を入力する選択手段を備え、前記切替手段は、前記選択手段からの入力に従って前記切り替えを行う。
【００１５】
請求項１１の発明は、請求項１に記載のものにおいて、前記取得手段は、前記メモリに記憶されたデータを取得し、前記メモリからそのデータを削除する。
【００１６】
請求項１２の発明は、請求項１１に記載のものにおいて、前記メモリに記憶されるデータの中から前記取得手段により取得させるデータを指定する指定手段を備える。
【００１７】
請求項１３の発明は、請求項１から請求項１２のいずれか一項に記載のものにおいて、前記書込手段は、前記取得手段により取得されたデータが前記格納手段により前記記憶手段に格納された後に、そのデータの位置情報を前記メモリに書き込む。
【００１８】
請求項１４の発明は、請求項１から請求項１３のいずれか一項に記載のものにおいて、前記接続手段は、通信回線を介して情報処理装置に接続されており、前記記憶手段は、前記情報処理装置に設けられている。
【００１９】
上記の目的を達成するための手段として、請求項１５の発明に係るデータ処理装置は、着脱可能なメモリが接続されるメモリ接続手段と、記憶手段を有する外部装置に対してデータの送受信を行う送受信手段と、前記送受信手段にデータの送信を行わせ、前記外部装置の記憶手段にデータを格納する格納手段と、前記格納手段によって格納されたデータの格納位置情報を前記メモリに書き込む書込手段と、を備える。
【００２０】
請求項１６の発明は、請求項１５に記載のものにおいて、前記メモリに書き込まれた格納位置情報に従って、前記記憶手段からデータを読み出し前記送受信手段を介してデータを受信する読出手段と、前記受信したデータに従って、画像を形成する画像形成手段とを備える。
【００２１】
上記の目的を達成するための手段として、請求項１７の発明に係るデータ処理装置は、
着脱可能なメモリが接続されるメモリ接続手段と、前記メモリより記憶容量の大きな記憶手段にデータを格納する格納手段と、前記格納手段によって格納されたデータの格納位置情報を前記メモリに書き込む書込手段と、を備える。
【００２２】
請求項１８の発明は、請求項１７に記載のものにおいて、前記記憶手段は、前記データ処理装置に内蔵されている。
【００２３】
請求項１９の発明は、請求項１７に記載のものにおいて、前記記憶手段は、前記データ処理装置に内蔵された第１の記憶手段と、前記データ処理装置に通信回線を介して接続された外部装置の第２の記憶手段とを含み、前記格納手段によりデータを格納する格納先を、前記第１の記憶手段および第２の記憶手段の中から選択する格納先選択手段を備える。
【００２４】
請求項２０の発明は、請求項１９に記載のものにおいて、前記格納先選択手段は、予め定められた選択条件に従って前記格納先の選択を行い、前記選択条件は、ユーザに与えられた権限に応じて前記格納先を前記第１の記憶手段に制限する条件を含む。
【００２５】
上記の目的を達成するための手段として、請求項２１の発明に係るデータ処理装置は、着脱可能なメモリが接続されるメモリ接続手段と、複数のデータを取得する取得手段と、前記取得された複数のデータにそれぞれ対応する複数のサムネイルデータを生成する生成手段と、前記メモリより記憶容量の大きな記憶手段に前記取得された各データを格納する格納手段と、前記格納手段によって格納された前記各データの格納位置情報と前記サムネイルデータとを関連付けて前記メモリに書き込む書込手段と、前記メモリに書き込まれた複数のサムネイルデータを表示する表示部と、前記表示された複数のサムネイルデータ中から所望のサムネイルデータを選択するサムネイル選択手段と、前記選択されたサムネイルデータと関連付けられた格納位置情報に従って、前記記憶手段からデータを読み出す読出手段と、を備える。
【００２６】
請求項２２の発明は、請求項２１に記載のものにおいて、前記生成手段は、前記取得されたデータが画像データである場合にはその画像データから前記サムネイルデータを生成し、前記取得されたデータが画像データでない場合にはアイコン画像から前記サムネイルデータを生成する。
【発明の効果】
【００２７】
＜請求項１の発明＞
取得されたデータが記憶手段に格納され、メモリにそのデータの位置情報が書き込まれる。このため、メモリの使用容量が抑えられる。また、メモリに書き込まれた位置情報を参照することで、データを容易に得ることができる。
【００２８】
＜請求項２の発明＞
メモリに画像データの位置情報とサムネイルデータとが関連づけて書き込まれる。このため、サムネイルを参照することにより画像データの特定を容易に行うことができる。
【００２９】
＜請求項３の発明＞
表示部に表示されたサムネイルデータから所望のサムネイルデータを選択することにより、当該サムネイルデータと関連付けられた位置情報に従ってデータ読み出し画像形成を実行する。これにより、データの選択と画像形成とを容易に行うことができる。
【００３０】
＜請求項４の発明＞
メモリの位置情報に対応する画像データを記憶手段から取得して印刷を実行する。これにより、画像データの印刷を容易に行うことができる。
【００３１】
＜請求項５の発明＞
原稿を読み取ることで取得した画像データが記憶手段に格納され、メモリにその画像データの位置情報が書き込まれる。このため、メモリの位置情報を参照することで、画像データを容易に得ることができる。
【００３２】
＜請求項６の発明＞
例えば、画像データをメモリと記憶手段とのいずれか一方に格納したり、あるいは両方に同じ画像データを格納したりといった使い方を状況に応じて切り替えることができる。
【００３３】
＜請求項７の発明＞
メモリの空き容量が規定以上の場合には、画像データをメモリに格納し、規定未満の場合には記憶手段に格納する。これにより、メモリの空き容量が十分あるときには、画像データがメモリに格納されるため、データの格納が容易となり、使い勝手がよい。
【００３４】
＜請求項８の発明＞
データのファイルサイズをメモリの空き容量と比較することで、そのデータがメモリに格納できるか否かを的確に判断することができる。
【００３５】
＜請求項９の発明＞
設定された読取条件から取得手段によって取得されたデータのファイルサイズを予測し、この予測したファイルサイズとメモリの空き容量とを比較し、この比較結果に従って格納先の切り替えを行う。これにより、格納先の切り替えが、ファイルサイズとメモリの空き容量との比較結果に応じて行われるので、格納先を的確に決めることができ、使い勝手がよい。
【００３６】
＜請求項１０の発明＞
ユーザがデータの格納先を選択することができるため、使い勝手が良い。
【００３７】
＜請求項１１の発明＞
メモリに記憶されたデータを記憶手段に移動することにより、メモリの空き容量を増やすことができる。
【００３８】
＜請求項１２の発明＞
メモリから移動させるデータを指定することができるため、使い勝手が良い。
【００３９】
＜請求項１３の発明＞
メモリからのデータの移動が完了した後に位置情報を書き込むことで、データ移動中のエラーによりデータの格納先が変更された場合等に、データの位置が分からなくなる事態を防ぐことができる。
【００４０】
＜請求項１４の発明＞
データを外部の情報処理装置の記憶手段に格納するため、多くのデータを保存しておくことができる。
【００４１】
＜請求項１５の発明＞
データが記憶手段に格納され、メモリにそのデータの位置情報が書き込まれる。このため、メモリの使用容量が抑えられる。また、メモリに書き込まれた位置情報を参照することで、データを容易に得ることができる。
【００４２】
＜請求項１６の発明＞
メモリの位置情報に対応する画像データを記憶手段から取得して画像形成を実行する。これにより、取得したデータに基づく画像形成を容易に行うことができる。
【００４３】
＜請求項１７の発明＞
データが記憶手段に格納され、メモリにそのデータの位置情報が書き込まれる。このため、メモリの使用容量が抑えられる。また、メモリに書き込まれた位置情報を参照することで、データを容易に得ることができる。
【００４４】
＜請求項１８の発明＞
記憶手段がデータ処理装置に内蔵されているので、通信障害などによるエラー対策などを好適に行うことができる。
【００４５】
＜請求項１９の発明＞
ユーザがデータの格納先を選択することができるため、使い勝手が良い。
【００４６】
＜請求項２０の発明＞
ユーザに与えられた権限に応じて格納先が選択されるため、使い勝手が良い。
【００４７】
＜請求項２１の発明＞
データが記憶手段に格納され、メモリにそのデータの位置情報が書き込まれる。このため、メモリの使用容量が抑えられる。また、メモリに書き込まれた位置情報を参照することで、データを容易に得ることができる。
【００４８】
＜請求項２２の発明＞
取得されたデータが画像データである場合にはその画像データからサムネイルデータが生成され、取得されたデータが画像データでない場合にはアイコン画像からサムネイルデータが生成されるため、使い勝手が向上する。
【発明を実施するための最良の形態】
【００４９】
次に本発明の一実施形態について図１から図１０を参照して説明する。
【００５０】
１．複合機の外観構成
本実施形態では、本発明をスキャナ機能、プリンタ機能、コピー機能、ファクシミリ機能等を備えた複合機１（データ処理装置の一例）に適用した例を示す。図１は、複合機１の外観斜視図である。
【００５１】
複合機１は、図１に示すように、本体２の上部に原稿を読み取るための読取部３（取得手段の一例）を備えている。この読取部３は、いわゆるフラットベッド方式のものであって、原稿読取面（図示せず）上に載置された原稿をＣＩＳ等のイメージセンサ（図示せず）で読み取ることで、原稿画像に対応した画像データを取得し、出力する。また、原稿読取面の上方には、ＡＤＦ（自動原稿供給装置）４が原稿読取面に対して開閉可能に設けられている。このＡＤＦ４は、セットされた原稿をイメージセンサにより読み取り可能な位置へ搬送する。
【００５２】
複合機１の上部前面には、複数のボタン５Ａを有する操作部５（選択手段、指定手段の一例）と、液晶ディスプレイからなる表示部６と、ＵＳＢインターフェイス１６（メモリ接続手段の一例）とが設けられている。
【００５３】
２．複合機の電気的構成
図２は、複合機１の電気的構成を概略的に示すブロック図である。この複合機１は、同図に示すように、ＣＰＵ１０（取得手段、格納手段、書込手段、制御手段、切替手段の一例）、ＲＯＭ１１、ＲＡＭ１２、ＮＶＲＡＭ１３、ネットワークインターフェイス１４（接続手段の一例、送受信手段の一例）、ファクシミリインターフェイス１５、ＵＳＢインターフェイス１６を備え、これらに画像形成部１７（画像形成手段の一例）や、既述の読取部３、操作部５、表示部６などが接続されている。
【００５４】
ＲＯＭ１１には、この複合機１の動作を制御するための各種のプログラムが記憶されており、ＣＰＵ１０は、ＲＯＭ１１から読み出したプログラムに従って、その処理結果をＲＡＭ１２またはＮＶＲＡＭ１３に記憶させながら、各部の制御を行う。
【００５５】
ネットワークインターフェイス１４は、通信回線２０を介して、後述のＵＳＢメモリ２５より十分に記憶容量の大きいハードディスク２１Ａ（記憶手段の一例）を有するＦＴＰサーバ２１（情報処理装置の一例）や、クライアントコンピュータ２３等に接続される。ファクシミリインターフェイス１５は、電話回線２４に接続される。ＵＳＢインターフェイス１６には、ＵＳＢメモリ２５（メモリの一例）等が着脱可能に接続される。画像形成部１７は、用紙などの被記録媒体上に画像データに基づく画像を形成する。
【００５６】
３．スキャン処理
次にＣＰＵ１０の制御により実行されるスキャン処理について説明する。図３は、スキャン処理の流れを示すフローチャートである。このスキャン処理は、ユーザが原稿を読取部３の原稿読取面またはＡＤＦ４にセットし、ＵＳＢインターフェイス１６にＵＳＢメモリ２５を接続した状態で、操作部５によりスキャン開始の指示を入力することにより開始される。
【００５７】
ＣＰＵ１０は、スキャン処理を開始すると、まず表示部６にＵＳＢメモリ２５内に記憶されたファイル（データ）を移動するか否かをユーザに選択させるための画面を表示させる（Ｓ１０１）。ここで、操作部５からＵＳＢメモリ２５のファイルを移動する旨の選択が入力された場合（Ｓ１０１：Ｙｅｓ）には、ＣＰＵ１０は、以下に示すファイル移動処理を実行する（Ｓ１０２）。
【００５８】
（ファイル移動処理）
図４は、ファイル移動処理の流れを示すフローチャートである。ＣＰＵ１０は、同図に示すように、ファイル移動処理を開始すると、まず表示部６に、移動対象とするファイルが格納される場所をユーザに指定させるための画面を表示させる（Ｓ２０１）。ここでは、ユーザが操作部５からの入力により、ファイルが格納される場所をフォルダ毎に指定することができる。なお、ＵＳＢメモリ２５の全体（ルートディレクトリ下の全フォルダ）を指定することも可能である。
【００５９】
続いてＣＰＵ１０は、表示部６に、移動対象とするファイルの種別をユーザに指定させるための画面を表示させる（Ｓ２０２）。ここでは、ユーザが操作部５からの入力により、例えば、画像データ、音声データなど特定のファイル形式のファイルを移動対象とするか否か、及びそれ以外のファイル形式のファイルを移動対象とするか否かを選択することができる。これにより、Ｓ２０１にて指定された場所に格納されるファイルのうち、ここで指定されたファイル形式に該当する全てのファイルが移動対象となる。なお、Ｓ２０１，Ｓ２０２の処理においては、個々のファイルを一つずつ移動対象として指定できるようにしても良い。
【００６０】
次にＣＰＵ１０は、移動ファイルのアイコン（ファイルに対応付けて登録することでファイルの識別の際に利用可能な任意の小サイズ画像）や画像のサムネイル（縮小画像）を
生成してＵＳＢメモリ２５に書き込むか否かを選択させるための画面を表示部６に表示させる（Ｓ２０３）。ここで、サムネイルを生成しない旨が操作部５を介して選択された場合（Ｓ２０３：Ｎｏ）には、テキスト形式で移動ファイルに関する情報を含んだ情報ファイルを生成するか否かをユーザに選択させる（Ｓ２０４）。そして、情報ファイルを生成しない旨が選択された場合（Ｓ２０４：Ｎｏ）には、移動対象となるファイルの移動を実行する（Ｓ２０５）。詳細には、ＣＰＵ１０は、移動対象のファイルを一旦ＲＡＭ１２上に取り込んで、そのファイルをＦＴＰサーバ２１のハードディスク２１Ａ等の予め設定されたフォルダに格納し、ＵＳＢメモリ２５上からファイルを削除する。なお、ファイルを移動する際には、ユーザが格納先を任意に指定できるようにしても良い。ＣＰＵ１０は、ＵＳＢメモリ２５上からのファイル削除を伴うファイルの移動が完了した後、このファイル移動処理を終了する。
【００６１】
また、Ｓ２０４にて、情報ファイルをテキスト形式で生成する旨が操作部５を介して選択された場合（Ｓ２０４：Ｙｅｓ）には、Ｓ２０５と同様に、まず移動対象となるファイルの移動を実行する（Ｓ２０６）。そして、テキスト形式の情報ファイルを生成し、その情報ファイルをＵＳＢメモリ２５の所定場所（最上位ディレクトリ等）に書き込み（Ｓ２０７）、このファイル移動処理を終了する。情報ファイルは、例えば、図５に示すように、移動した各ファイルについて、ファイル名、移動元のアドレス、移動先のアドレス（位置情報の一例）、ファイルサイズの情報を含んでいる。この情報ファイルは、例えば、ユーザが後にＵＳＢメモリ２５をクライアントコンピュータ２３に接続したときに、テキスト形式のファイルを閲覧するアプリケーションを用いて内容を参照することができる。なお、この情報ファイルには、例えば、移動されたファイルの作成日時やその他の情報を含めるようにしても良い。また、情報ファイルが画像データであれば、画像の解像度、色数、画像サイズ等の情報を含めるようにしても良い。
【００６２】
Ｓ２０３にて、サムネイルを生成する旨が操作部５を介して選択された場合（Ｓ２０３：Ｙｅｓ）には、ＣＰＵ１０は、情報ファイルをXML/HTML形式、EXIF形式、テキスト形式のいずれで生成するか、若しくは生成しないかを選択させる画面を表示部６に表示させる（Ｓ２０８）。ここで、情報ファイルを生成しない旨が操作部５を介して選択された場合（Ｓ２０８：Ｎｏ）には、ＣＰＵ１０は、移動対象のファイルの移動を実行した後（Ｓ２０９）、移動したファイルのサムネイルデータ（JPEG形式）を生成し、そのサムネイルデータをＵＳＢメモリ２５に書き込む（Ｓ２１０）。ここでは、移動ファイルが画像データの場合には、その画像データに基づいたサムネイルデータを生成し、それ以外のファイル形式の場合には、そのアイコン画像に基づくサムネイルデータを生成する。
【００６３】
Ｓ２０８にて、情報ファイルをXML/HTML形式、EXIF形式、テキスト形式のいずれで生成するかが操作部５を介して選択された場合（Ｓ２０８：Ｙｅｓ）には、ＣＰＵ１０は、移動対象のファイルの移動を実行する（Ｓ２１１）。そして、移動したファイルのサムネイルデータと選択された形式の情報ファイルとを生成し、ＵＳＢメモリ２５に書き込む（Ｓ２１２）。
【００６４】
ここで、生成される情報ファイルがテキスト形式である場合には、その情報ファイルには、図５を用いて前述したように、移動された各ファイルに関する各種の情報の他、移動した各ファイルに対応するサムネイルデータに関する情報（ファイル名、格納場所、ファイルサイズ等）が含まれる。
【００６５】
また、生成される情報ファイルがXML/HTML形式である場合には、その情報ファイルには、サムネイル画像を表示させるためのタグと、そのサムネイルの元のファイルへのリンクタグ（位置情報）と、元のファイルに関する各種の情報とが含まれる。ＵＳＢメモリ２５を他のクライアントコンピュータ２３に接続し、この情報ファイルをWebブラウザ等のア
プリケーションで開くと、例えば、図６に示すようなブラウザ画面３０がディスプレイ（図示せず）に表示される。このブラウザ画面３０では、移動したファイルのサムネイル画像３１と、移動したファイルのファイル名、ファイルサイズ、作成日時、（画像データであれば）画像サイズ等のファイルに関する情報を表す文字３２とが互いに対応付けて表示される。そして、例えば、ユーザによりサムネイル画像３１がクリックされた場合には、クライアントコンピュータ２３内部のＣＰＵは、タグに含まれるリンク情報を参照して、元のデータをその格納先からダウンロードし、ディスプレイにそのデータに基づく画像を表示させたり、あるいはそのデータを複合機１やその他のプリンタに送信して印刷を行ったりすることができる。
【００６６】
また、生成される情報ファイルがEXIF形式である場合には、JPEG形式のサムネイルファイルにEXIF(Exchangeable Image File Format)規格に沿って、元のファイルに関する情報が組み込まれる（即ち、この場合サムネイルファイルと情報ファイルとが同一のファイルとなる）。ＵＳＢメモリ２５を他のクライアントコンピュータ２３等に接続したときには、所定のアプリケーションを用いてこのサムネイルファイルに組み込まれた情報ファイル（EXIF情報）を参照することができる。図７は、EXIF情報をクライアントコンピュータ２３のディスプレイに表示させた例を示す。この例では、メーカー独自情報の項目に元のファイルのファイルサイズや、格納先のアドレス、移動前のアドレス、（画像データであれば）画像サイズ等の情報が含まれている。
【００６７】
以上のように、サムネイルデータ及び情報ファイルを生成し、ＵＳＢメモリ２５に書き込んだ後、ＣＰＵ１０は、このファイル移動処理を終了する。このように、ファイルの移動処理を行うことにより、ＵＳＢメモリ２５の空き容量を確保することができる。
【００６８】
さて、図３に示すスキャン処理において、Ｓ１０２のファイル移動処理が終了した場合、若しくはＳ１０１にてファイルの移動をしない旨が選択された場合（Ｓ１０１：Ｎｏ）には、ＣＰＵ１０は、表示部６に、画像データの格納方式を選択させるための画面を表示させる（Ｓ１０３）。ここでは、ユーザが操作部５からの入力により、画像データをＵＳＢメモリ２５及びＦＴＰサーバ２１のいずれか一方に格納するか、あるいは両方に格納するかを選択することができる。なお、ここでは、ＵＳＢメモリ２５またはＦＴＰサーバ２１のハードディスク２１Ａにおいて、画像データを格納するフォルダをユーザが任意に指定できるようにしても良い。ＣＰＵ１０は、以下に示すように、ユーザの選択に応じてこの画像データの格納先の切り替えを行う。
【００６９】
画像データの格納先としてＦＴＰサーバ２１のみが選択された場合（Ｓ１０４：Ｙｅｓ）には、続いて表示部６に読取設定を行うための画面を表示する（Ｓ１０５）。ここでは、ユーザにより、読み取り実行する際の画質（解像度）、色数（モノクロ／カラー及び階調）や、画像データのファイル形式など各種の設定値が入力される。
【００７０】
続いて、ＣＰＵ１０は、入力された各設定値に基づいて、読取部３により原稿の読み取りを行い、読取部３からＲＡＭ１２上に取得した画像データに所定の画像処理を施して画像データファイルを生成する（Ｓ１０６）。そして、その画像データをＦＴＰサーバ２１のハードディスク２１Ａに格納し（Ｓ１０７）、このスキャン処理を終了する。
【００７１】
Ｓ１０３にて、画像データの格納先としてＵＳＢメモリ２５のみが選択された場合には、Ｓ１０４でＮｏ、Ｓ１０８でＹｅｓに進んで、既述のもの（Ｓ１０５）と同様の読取設定を実行し（Ｓ１０９）、続いて、次に示す格納方式の再選択処理を実行する（Ｓ１１０）。
【００７２】
（格納方式再選択処理）
図８は、この格納方式再選択処理の流れを示すフローチャートである。この格納方式再選択処理では、ＵＳＢメモリ２５の空き容量や、ユーザの選択に応じて画像データの格納先の切り替えが行われる。
【００７３】
ＣＰＵ１０は、まずＵＳＢメモリ２５の空き容量を所定の閾値と比較して、空き容量が閾値以上（規定以上）である場合（Ｓ３０１：Ｙｅｓ）には、この格納方式再選択処理を終了して、読取部３にて原稿の読み取りを実行し（図３のＳ１１１）、得られた画像データをＵＳＢメモリ２５に格納する（Ｓ１１２）。なお、図８のＳ３０１の処理においては、図３のＳ１０９の読取設定（条件設定手段の一例）にて入力された設定値（解像度、色数、ファイル形式）等の読取条件に基づいて、画像データのファイルサイズを予測し、この予測データサイズと空き容量とを比較して、画像データがＵＳＢメモリ２５に正常に格納される可能性が高い場合に、Ｓ３０１をＹｅｓと判断し、読み取りを実行する（図３のＳ１１１）ようにしても良い。
【００７４】
また、ＵＳＢメモリ２５の空き容量が閾値未満（規定未満）である場合（Ｓ３０１：Ｎｏ）には、続いて、ＣＰＵ１０は、表示部６に、画像データの格納方式を再選択させるための画面を表示させる（Ｓ３０２）。ここでは、「ＵＳＢメモリのファイルを移動する」、「画像データをサーバに格納する」、「画像データをサーバに格納し、情報ファイルをＵＳＢメモリに書き込む」、「格納方式を変更しない」の４つの選択肢の中から一つを選択することができる。
【００７５】
ここで、「ＵＳＢメモリのファイルを移動する」が選択された場合（Ｓ３０３：Ｙｅｓ）には、この格納方式再選択処理を抜け、図３のＳ１０２に戻ってファイル移動処理を実行する。これにより、ＵＳＢメモリ２５の空き容量を確保してから、再びＵＳＢメモリ２５への画像データの格納を試みることができる。また、「画像データをサーバに格納し、情報ファイルをメモリに書き込む」が選択された場合（Ｓ３０４：Ｙｅｓ）には、この格納方式再選択処理を抜け、後述するように図３のＳ１１９に進んで読み取りを実行し、その画像データをＦＴＰサーバ２１に格納し、情報ファイルをＵＳＢメモリ２５に書き込む（Ｓ１２０）。
【００７６】
また、「画像データをサーバに格納する」が選択された場合（Ｓ３０５：Ｙｅｓ）には、この格納方式再選択処理を抜け、図３のＳ１０６に進んで、読み取りを実行した後、画像データをＦＴＰサーバ２１に格納する（Ｓ１０７）。また、「格納方式を変更しない」が選択された場合（Ｓ３０５：Ｎｏ）には、この格納方式再選択処理を終了して、図３のＳ１１１にて読み取りを実行し、得られた画像データをＵＳＢメモリ２５に格納する（Ｓ１１２）。ここで、ＵＳＢメモリ２５の容量が不足した場合には、得られた画像データの一部のみを格納する。即ち、例えば、複数ページからなる画像データの場合には、そのうち格納可能な一部のページのみを有する画像データを生成してＵＳＢメモリ２５に格納する。
【００７７】
Ｓ１０３にて、画像データの格納先としてＦＴＰサーバ２１とＵＳＢメモリ２５との両方が選択された場合（Ｓ１０８：Ｎｏ）には、ＣＰＵ１０は、続いて、ＦＴＰサーバ２１とＵＳＢメモリ２５との両方に同一の画像データを格納するか否かを選択させる画面を表示部６に表示させる（Ｓ１１３）。ここで、ＦＴＰサーバ２１とＵＳＢメモリ２５との両方に同一の画像データを格納する旨が選択された場合（Ｓ１１３：Ｙｅｓ）には、読取設定を実行して（Ｓ１１４）、ユーザに各種の設定値を入力させる。
【００７８】
続いて、ＣＰＵ１０は、既述のもの（Ｓ１１０）と同様の格納方式再選択処理（図８参照）を実行する（Ｓ１１５）。即ち、ここで、ＵＳＢメモリ２５の空き容量が閾値未満である場合（３０１：Ｎｏ）には、格納方式を再選択することができる。ＵＳＢメモリ２５
の空き容量が閾値以上であった場合（Ｓ３０１：Ｙｅｓ）、若しくはＳ３０２で「格納方式を変更しない」が選択された場合には、格納方式再選択処理を終了した後、図３のＳ１１６に進んで、原稿の読み取りを実行し、得られた画像データをＦＴＰサーバ２１とＵＳＢメモリ２５との両方に格納する（Ｓ１１７）。ここで、ＵＳＢメモリ２５の容量が不足した場合には、得られた画像データの一部のみをＵＳＢメモリ２５に格納する。
【００７９】
次に、Ｓ１１３にて、ＦＴＰサーバ２１とＵＳＢメモリ２５との両方に同一の画像データを格納しない旨が選択された場合（Ｓ１１３：Ｎｏ）には、ＣＰＵ１０は、読取設定を実行し（Ｓ１１８）、続いて入力された設定値に基づいて原稿の読み取りを実行する（Ｓ１１９）。そして、ＣＰＵ１０は、図９を用いて次に示す情報ファイル生成処理を実行し（Ｓ１２０）、その後、このスキャン処理を終了する。
【００８０】
図９は、情報ファイル生成処理の流れを示すフローチャートである。この情報ファイル生成処理（Ｓ４０１〜Ｓ４１０）は、図４のファイル移動処理の後半部（Ｓ２０３〜Ｓ２１２）と対応するものである。但し、ファイル移動処理では、ＵＳＢメモリ２５から取得したデータをＦＴＰサーバ２１へ移動させる（Ｓ２０５，Ｓ２０６，Ｓ２０９，Ｓ２１１）のに対し、この情報ファイル生成処理では、読取部３から取得したデータをＦＴＰサーバ２１に格納する（Ｓ４０３，Ｓ４０４，Ｓ４０７，Ｓ４０９）点が異なり、その他の処理は概ね同様である。この処理により、画像データをＦＴＰサーバ２１に格納するとともに、その画像データのサムネイルデータや、その画像データに関する情報を含んだ情報ファイルをＵＳＢメモリ２５に書き込むことができる。
【００８１】
４．ＵＳＢプリント処理
次にＵＳＢメモリ２５に格納された各種のファイル（データ）に基づいて印刷を行うＵＳＢプリント処理について説明する。図１０はＵＳＢプリント処理の流れを示すフローチャートである。
【００８２】
ＣＰＵ１０は、ＵＳＢインターフェイス１６にＵＳＢメモリ２５が装着されたことを検知したとき、あるいはＵＳＢインターフェイス１６にＵＳＢメモリ２５が既に装着されている状態において操作部５から所定の指示が入力されたときに、このＵＳＢプリント処理を開始する。ＵＳＢプリント処理を開始すると、ＣＰＵ１０は、まずＵＳＢメモリ２５に格納されているファイルをＲＡＭ１２上に読み込む（Ｓ５０１）。
【００８３】
次に、ＣＰＵ１０は、読み込んだ各ファイルのサムネイルデータを生成し、読み込んだ全てのファイルに関して複数のサムネイル画像を表示部６に一覧表示させる（Ｓ５０２）。ここでは、例えば、ファイルが画像データである場合にはその画像のサムネイル画像を表示させる。また、ファイルがXML/HTML形式であれば、そのタグ構造を解析し、例えば、それがリンクされた画像データの画像のみを表示するような（他の文字等を表示しない）ものであれば、そのリンクされた画像データのサムネイル画像のみを表示させる。また、そのファイルのタグ構造が、画像以外にも文字等を表示するようなページ構造を備えたものであれば、そのブラウザ表示画像（ＷＥＢブラウザ等のアプリケーションでそのファイルを開いたときに表示される画像）のサムネイル画像を表示させる。さらに、読み込んだファイルがテキストデータや、その他のデータの場合には、そのファイルのアイコン画像をサムネイル化して表示部６に表示させる。
【００８４】
そして、ＣＰＵ１０は、印刷対象とするファイルをユーザに指定させる（Ｓ５０３）。ここで、ユーザは、表示部６にてサムネイルによるファイルの一覧表示を参照しながら、印刷対象とするファイルを操作部５（サムネイル選択手段の一例）により指定することができる。なお、ここでは、例えば、ファイル名のみをリスト表示して、ユーザによって指定されたファイルの内容をサムネイル等で表示するようにしても良い。
【００８５】
次にＣＰＵ１０は、印刷対象として指定されたファイルがXML/HTML形式である場合（Ｓ５０４：Ｙｅｓ）には、そのファイルの内容を表示部６にブラウザ表示させ（Ｓ５０５）、続いてページ全体の印刷を行うかをユーザに選択させる画面を表示部６に表示させる（Ｓ５０６）。ページ全体の印刷を行う旨が操作部５より入力された場合（Ｓ５０６：Ｙｅｓ）には、そのファイルのブラウザ表示画像のデータを画像形成部１７に送り、印刷を実行する（Ｓ５０７）。
【００８６】
また、ページ全体を印刷しない旨が入力された場合（Ｓ５０６：Ｎｏ）には、表示部６のブラウザ表示画像上で印刷対象とする画像をユーザに個別に指定させる（Ｓ５０８）。ここで、指定された画像のファイル（ＵＳＢメモリ２５に格納されるもの）に対し、元になる画像データへのリンク情報（位置情報）が存在した場合（Ｓ５０９：Ｙｅｓ）には、そのリンク情報に基づき、リンク先（ＦＴＰサーバ２１等）の画像データを取得して、画像形成部１７に送り、印刷を実行する（Ｓ５１０）。なお、ここで、リンク情報は、XML/HTML形式のファイルに含まれるタグから取得しても良く、画像ファイルにEXIF情報として含まれたものを取得してもよく、さらにテキスト形式の情報ファイルなど他のファイルに含まれるリンク情報を取得しても良い。
【００８７】
また、リンク情報が存在しない場合（Ｓ５０９：Ｎｏ）には、印刷対象として指定された画像のデータを画像形成部１７に送り、印刷を行う（Ｓ５１１）。Ｓ５１０またはＳ５１１にて画像データの印刷を行った後、そのページに含まれる画像の印刷を終了するか否かを選択させる画面を表示部６に表示させる（Ｓ５１２）。そして、印刷を終了しないとの入力があった場合（Ｓ５１２：Ｎｏ）には、Ｓ５０８に戻り、そのページに含まれる画像の印刷を続行する。
【００８８】
また、そのページに含まれる画像の印刷を終了するとの入力があった場合（Ｓ５１２：Ｙｅｓ）、またはＳ５０７にてページ全体の印刷を終了した場合には、表示部６に印刷終了を確認する画面を表示させる（Ｓ５１３）。ここで、印刷を終了しない旨の入力があった場合（Ｓ５１３：Ｎｏ）には、Ｓ５０３に戻り、再び他の印刷対象とするファイルを選択させる。また、印刷を終了する旨の入力があった場合（Ｓ５１３：Ｙｅｓ）には、このＵＳＢプリント処理を終了する。
【００８９】
Ｓ５０３において印刷対象として指定されたファイルがXML/HTML形式ではなく（Ｓ５０４：Ｎｏ）画像データである場合（Ｓ５１４：Ｙｅｓ）には、ＣＰＵ１０は、その画像データの元になる画像へのリンク情報が存在するか否かを調べる（Ｓ５１５）。ここで、リンク情報は、前述のように、その画像データ自体にEXIF情報として添付された情報を取得しても良く、あるいは、他のXML/HTML形式やテキスト形式等の情報ファイルから取得しても良い。
【００９０】
元画像へのリンク情報が存在しない場合（Ｓ５１５：Ｎｏ）には、印刷対象として指定されたファイルを画像形成部１７にて印刷し（Ｓ５１６）、Ｓ５１３に進む。また元画像へのリンク情報が存在する場合（Ｓ５１５：Ｙｅｓ）には、その元画像データに基づいた印刷を実行するか否かをユーザに選択させる画面を表示部６に表示させる（Ｓ５１７）。ここで、ユーザにより元画像データに基づく印刷を実行しない旨が入力された場合（Ｓ５１７：Ｎｏ）には、Ｓ５１６に進み、印刷対象として指定されたファイルを印刷する。また、元画像データに基づく印刷を実行する旨が入力された場合（Ｓ５１７：Ｙｅｓ）には、リンク情報に基づいて、リンク先から画像データを取得し、その画像データを画像形成部１７にて印刷する（Ｓ５１８）。その後、Ｓ５１３に進む。
【００９１】
Ｓ５０３において印刷対象として指定されたファイルが画像データではなく、テキスト
ファイルであった場合（Ｓ５１４：Ｎｏ）には、そのテキストファイルに元画像へのリンク情報が存在するか判断し（Ｓ５１９）、元画像へのリンク情報が存在する場合（Ｓ５１９：Ｙｅｓ）には、Ｓ５１８に進み、リンク情報に基づいて、リンク先から画像データを取得し、その画像データを画像形成部１７にて印刷する。一方、テキストファイルに元画像へのリンク情報が存在しない場合（Ｓ５１９：Ｎｏ）には、そのテキストデータを画像形成部１７に送り、印刷を実行し（Ｓ５２０）、Ｓ５１３に進む。
【００９２】
５．本実施形態の効果
以上のように本実施形態によれば、取得されたデータがＦＴＰサーバ２１に格納され、ＵＳＢメモリ２５にそのデータの格納先を示す格納位置情報が書き込まれる。このため、ＵＳＢメモリ２５の使用容量が抑えられる。また、ＵＳＢメモリ２５に書き込まれた格納位置情報を参照することで、データを容易に得ることができる。
【００９３】
また、ＵＳＢメモリ２５に画像データの格納位置情報とサムネイルデータとが関連づけて書き込まれる。このため、サムネイルデータに従って表示部に表示されたサムネイルを参照することにより画像データの特定を容易に行うことができる。
【００９４】
また、ＵＳＢメモリ２５の格納位置情報を参照することにより、格納位置情報に対応する画像データをＦＴＰサーバ２１のハードディスク２１Ａから取得して印刷を実行する。これにより、画像データの印刷を容易に行うことができる。
【００９５】
また、読取部３により原稿を読み取ることで取得した画像データがＦＴＰサーバ２１のハードディスク２１Ａに格納され、ＵＳＢメモリ２５にその画像データの格納位置情報が書き込まれる。このため、ＵＳＢメモリ２５の格納位置情報を参照することで、画像データを容易に得ることができる。
【００９６】
また、画像データをＵＳＢメモリとＦＴＰサーバ２１とのいずれか一方に格納したり、あるいは両方に同じ画像データを格納したりといった使い方を状況に応じて切り替えることができる。
【００９７】
また、ＵＳＢメモリ２５の空き容量が規定以上の場合には、画像データをＵＳＢメモリ２５に格納し、規定未満の場合にはＦＴＰサーバ２１に格納する。これにより、ＵＳＢメモリ２５の空き容量が十分あるときには、画像データがＵＳＢメモリ２５に格納されるため、画像データの取得が容易になり、使い勝手がよい。
【００９８】
また、データのファイルサイズをＵＳＢメモリ２５の空き容量と比較することで、そのデータがＵＳＢメモリ２５に格納できるか否かを的確に判断することができる。
【００９９】
また、ユーザがデータの格納先を選択することができるため、使い勝手が良い。
【０１００】
また、ＵＳＢメモリ２５に記憶されたデータをＦＴＰサーバ２１に移動することにより、ＵＳＢメモリ２５の空き容量を増やすことができる。
【０１０１】
また、ＵＳＢメモリ２５から移動させるデータを指定することができるため、使い勝手が良い。
【０１０２】
また、ＵＳＢメモリ２５からのデータの移動が完了した後に格納位置情報を書き込むことで、データ移動中のエラーによりデータの格納先が変更された場合等に、データの格納位置が分からなくなる事態を防ぐことができる。
【０１０３】
データを外部のＦＴＰサーバ２１のハードディスク２１Ａに格納するため、多くのデータを保存しておくことができる。
【０１０４】
＜他の実施形態＞
本発明は上記記述及び図面によって説明した実施形態に限定されるものではなく、例えば次のような実施形態も本発明の技術的範囲に含まれる。（１）上記実施形態では、本発明を複合機に適用した例を示したが、本発明は、プリンタ機能、コピー機能やファクシミリ機能を備えていないデータ処理装置にも適用することができる。さらにはスキャナ機能を備えていないデータ処理装置であっても、メモリからデータを取得するものであれば、本発明を適用することが可能である。
（２）原稿の読み取りによって取得した画像データの格納先を決定する際に、実行時の時間帯や、ユーザの権限、サーバとの通信状況などの予め定められた選択条件によって、画像データの格納先を、サーバのみ、データ処理装置の内蔵メモリのみ、あるいはサーバ・メモリの両方にのみとするような制限を設けるようにしても良い。これにより、セキュリティ性を高めることができる。また、サーバの故障や通信不良等でサーバと通信ができない状態であることが検知された場合に、画像データの格納先を自動的に内蔵メモリのみに決定する選択手段を設けても良い。これにより、読み取った画像データが得られなくなる事態を防ぐことができる。
（３）上記実施形態では、着脱可能なメモリとしてＵＳＢメモリを用いた例を示したが、これに限らず、その他のフラッシュメモリや記録メディアを用いても良い。
（４）上記実施形態では、データの格納先をサーバとしたが、これに限らず、その他の情報処理装置等にデータを格納するようにしても良い。また、データを格納する記憶手段をデータ処理装置の本体内に設けても良い。さらに、サーバとデータ処理装置との両者に記憶手段を設け、データの格納先を両者の記憶手段の中から、手動でまたは自動的に選択手段により選択しても良い。
（５）上記実施形態では、情報ファイルが、XML/HTML形式、EXIF形式、テキスト形式のものを示したが、これらに限らず、情報ファイルをその他の形式で生成しても良い。
【図面の簡単な説明】
【０１０５】
【図１】本発明の一実施形態における複合機の外観斜視図
【図２】複合機の電気的構成を概略的に示すブロック図
【図３】スキャン処理の流れを示すフローチャート
【図４】ファイル移動処理の流れを示すフローチャート
【図５】テキスト形式の情報ファイルの内容を示す図
【図６】ブラウザ画面の表示例を示す図
【図７】EXIF情報を表示させた例を示す図
【図８】格納方式再選択処理の流れを示すフローチャート
【図９】情報ファイル生成処理の流れを示すフローチャート
【図１０】ＵＳＢプリント処理の流れを示すフローチャート
【符号の説明】
【０１０６】
１…複合機（データ処理装置）
３…読取部（取得手段）
５…操作部５（選択手段、指定手段）
１０…ＣＰＵ（取得手段、格納手段、書込手段、制御手段、切替手段）
１４…ネットワークインターフェイス（接続手段）
１６…ＵＳＢインターフェイス（メモリ接続手段）
１７…画像形成部１７（画像形成手段）
２０…通信回線
２１…ＦＴＰサーバ（情報処理装置）
２１Ａ…ハードディスク（記憶手段）
２５…ＵＳＢメモリ（メモリ）
【図１】
2008178066.tif 000003
【図２】
2008178066.tif 000004
【図３】
2008178066.tif 000005
【図４】
2008178066.tif 000006
【図５】
2008178066.tif 000007
【図６】
2008178066.tif 000008
【図７】
2008178066.tif 000009
【図８】
2008178066.tif 000010
【図９】
2008178066.tif 000011
【図１０】
2008178066.tif 000012